(57)【要約】【課題】本発明は、縦圧縮に対する安定性が向上した缶を備えた二次電池関を提供することを課題とする。  【解決手段】本発明の一実施形態に係る二次電池は、電極組立体と、底板と前記底板と反対側の開口部及び収容部（ｃａｂｉｔｙ）を境界にして前記底板から第１方向に沿って延びた壁（ｗａｌｌ）とを含むと共に前記電極組立体が収容される缶と、前記電極組立体が収容された前記缶を密封するキャップ組立体と、を備え、前記壁の少なくとも一部は、前記壁の他の部分より厚く形成されたことを特徴とする。【選択図】図１
2010232176.tif 000002
【特許請求の範囲】
【請求項１】
電極組立体と、
底板と、前記底板と反対側の開口部及び収容部を境界にして前記底板から第１方向に沿って延びた壁とを含むと共に、前記電極組立体が収容される缶と、
前記電極組立体が収容された前記缶を密封するキャップ組立体と、を備え、
前記壁の少なくとも一部は、前記壁の他の部分より厚く形成されたことを特徴とする二次電池。
【請求項２】
前記壁は、互いに対向する第１側壁及び第２側壁と、互いに対向する第３側壁及び第４側壁とを含み、前記第３側壁及び前記第４側壁各々は前記第１側壁及び前記第２側壁各々に連結されることを特徴とする請求項１に記載の二次電池。
【請求項３】
前記第１側壁及び前記第２側壁各々は平らな形状を有し、前記第３側壁及び前記第４側壁各々は丸い形状又は平らな形状を有することを特徴とする請求項２に記載の二次電池。
【請求項４】
前記第１側壁及び前記第２側壁各々は、前記第３側壁及び前記第４側壁各々の面積より大きい面積を有することを特徴とする請求項２に記載の二次電池。
【請求項５】
前記壁の厚い部分は、前記第１方向に沿って延びると共に前記第１側壁の付近で曲がっている前記第３側壁の一部を含むことを特徴とする請求項４に記載の二次電池。
【請求項６】
前記壁の厚い部分は、前記第１方向に沿って延びると共に前記第２側壁の付近で曲がっている前記第４側壁の一部を更に含むことを特徴とする請求項５に記載の二次電池。
【請求項７】
前記壁の厚い部分は、少なくとも前記第３側壁に近接した前記第１側壁の一部を含むことを特徴とする請求項５に記載の二次電池。
【請求項８】
前記壁の厚い部分は、少なくとも前記第４側壁に近接した前記第２側壁の一部と、前記第２側壁に近接した前記第４側壁の一部とを含むことを特徴とする請求項７に記載の二次電池。
【請求項９】
前記壁の厚い部分は、前記第１側壁と、前記第２側壁と、前記第４側壁と、少なくとも前記第１側壁に近接した前記第３側壁の一部とを含むことを特徴とする請求項４に記載の二次電池。
【請求項１０】
前記壁の厚い部分は、前記第１側壁と前記第３側壁との間の第１角部と、前記第２側壁と前記第４側壁との間の第２角部とを含むことを特徴とする請求項２に記載の二次電池。
【請求項１１】
前記第１側壁及び前記第２側壁各々は平らな形状を有し、前記第３側壁及び前記第４側壁各々は平らな形状を有すると共に前記第１側壁及び前記第２側壁と互いに垂直であることを特徴とする請求項１０に記載の二次電池。
【請求項１２】
前記壁の厚い部分は、少なくとも一部が前記収容部側に突出した突出部を含むことを特徴とする請求項１に記載の二次電池。
【請求項１３】
前記突出部は、少なくとも一つの丸い角部を備えたことを特徴とする請求項１２に記載の二次電池。
【請求項１４】
前記壁の厚さは、０．１８ｍｍ〜０．４ｍｍであることを特徴とする請求項１に記載の二次電池。
【請求項１５】
前記壁の厚い部分の厚さと前記壁の他の部分との厚さの差は少なくとも０．０５ｍｍであることを特徴とする請求項１に記載の二次電池。
【請求項１６】
前記壁の厚い部分は、前記第１方向に沿って前記底板から前記開口部の端部まで延びたことを特徴とする請求項１に記載の二次電池。
【請求項１７】
前記壁は、前記開口部に近接した前記壁の厚い部分の端部に段差部を含み、前記キャップ組立体は、前記段差部で前記缶に結合されることを特徴とする請求項１に記載の二次電池。
【発明の詳細な説明】
【技術分野】
【０００１】
本発明は二次電池に関するものである。
【背景技術】
【０００２】
一般的に、角形二次電池は、正極板及び負極板とこれら両電極板の間に介在されたセパレーターとが渦巻状に巻回されて形成される電極組立体を電解液と共に缶に収納し、前記缶の上端開口部をキャップ組立体で密封することによって形成される。
【０００３】
ここで、前記缶は、伝導性金属で形成された容器であって、略直方体形状を有する。缶は、深絞り（ｄｅｅｐ  ｄｒａｗｉｎｇ）などの加工方法によって底板と底板から延びた壁とを備えるように製造される。前記壁は、一般的に、互いに対向する二つの長側壁と、二つの長側壁に比べて相対的に狭い幅を有し且つ互いに対向する二つの短側壁とで形成される。従来の缶の側壁は、全面が同じ厚さを有するように形成されている。
【発明の概要】
【発明が解決しようとする課題】
【０００４】
本発明の目的は、圧縮に対する抵抗性を有する二次電池を提供することにある。
【課題を解決するための手段】
【０００５】
本発明の一実施形態に係る二次電池は、電極組立体と、底板と、前記底板と反対側の開口部及び収容部（ｃａｂｉｔｙ）を境界にして前記底板から第１方向に沿って延びた壁（ｗａｌｌ）とを含むと共に前記電極組立体が収容される缶と、前記電極組立体が収容された前記缶を密封するキャップ組立体と、を備え、前記壁の少なくとも一部は、前記壁の他の部分より厚く形成されたことを特徴とする。
【０００６】
前記壁は、互いに対向する第１側壁及び第２側壁と、互いに対向する第３側壁及び第４側壁とを含み、前記第３側壁及び前記第４側壁各々は前記第１側壁及び前記第２側壁各々に連結されてもよい。前記第１側壁及び前記第２側壁各々は平らな形状を有してもよく、前記第３側壁及び前記第４側壁各々は丸い形状又は平らな形状を有してもよい。
【０００７】
前記第１側壁及び前記第２側壁各々は、前記第３側壁及び前記第４側壁各々の面積より大きい面積を有してもよい。前記壁の厚い部分は、前記第１方向に沿って延びると共に前記第１側壁の付近で曲がっている前記第３側壁の一部を含んでもよい。前記壁の厚い部分は、前記第１方向に沿って延びると共に前記第２側壁の付近で曲がっている前記第４側壁の一部をさらに含んでもよい。
【０００８】
前記壁の厚い部分は、少なくとも前記第３側壁に近接した前記第１側壁の一部を含んでもよい。前記壁の厚い部分は、少なくとも前記第４側壁に近接した前記第２側壁の一部と、前記第２側壁に近接した前記第４側壁の一部とを含んでもよい。
【０００９】
前記壁の厚い部分は、前記第１側壁と、前記第２側壁と、前記第４側壁と、少なくとも前記第１側壁に近接した前記第３側壁の一部を含んでもよい。
【００１０】
前記壁の厚い部分は、前記第１側壁と第３側壁との間の第１角部と、前記第２側壁と第４側壁との間の第２角部とを含んでもよい。前記第１側壁及び前記第２側壁各々は平らな形状を有し、前記第３側壁及び前記第４側壁各々は平らな形状を有すると共に前記第１側壁及び前記第２側壁と互いに垂直であってもよい。
【００１１】
前記壁の厚い部分は、少なくとも一部が前記収容部側に突出した突出部を含んでもよい。前記突出部は、少なくとも一つの丸い（ｒｏｕｎｄｅｄ）角部を備えてもよい。
【００１２】
前記壁の厚さは、０．１８ｍｍ〜０．４ｍｍであってもよい。
【００１３】
前記壁の厚い部分の厚さと前記壁の他の部分との厚さの差は少なくとも０．０５ｍｍであってもよい。
【００１４】
前記壁の厚い部分は、前記第１方向に沿って前記底板から前記開口部の端部まで延びてもよい。
【００１５】
前記壁は、前記開口部に近接した前記壁の厚い部分の端部に段差部を含んでもよく、前記キャップ組立体は、前記段差部で前記缶に結合されてもよい。
【発明の効果】
【００１６】
本発明の構成によると、上述の本発明の目的を達成することができる。具体的には本発明によると、缶のある一側壁において該一側壁を構成する二つの壁が互いに異なる厚さに形成されるので、圧縮時に二つの壁のうち厚さの薄い方に力が偏って大きく加えられる。それによって、本発明に係る二次電池には回転方向への力が加わり、、圧縮状態に対して抵抗性を有し、又は縦圧縮の状態を回避するようになって、安全性が向上する。
【図面の簡単な説明】
【００１７】
【図１】本発明の一実施形態に係る二次電池の分解斜視図である。
【図２】図１に示した缶の平面図である。
【図３】図１に示した缶の底面図である。
【図４】図２に示した缶のＡ‐Ａ線断面図である。
【図５】図２に示した缶の水平断面図である。
【図６】本発明の他の実施形態に係る二次電池の缶の水平断面図である。
【図７】本発明の更なる他の実施形態に係る二次電池の缶の水平断面図である。
【図８】本発明の更なる他の実施形態に係る二次電池の缶の水平断面図である。
【図９】本発明の更なる他の実施形態に係る二次電池の缶の水平断面図である。
【発明を実施するための形態】
【００１８】
以下、添付図面を参照して本発明の実施形態の構成及び作用を詳しく説明する。
【００１９】
本発明の一実施形態によると、圧縮（例えば、縦圧縮）に対して抵抗性を有する二次電池は、缶が変形されて電極組立体が露出される問題、又は変形された缶によって内部的に短絡され発火及び爆発などが発生する安全上の問題を回避することができる。
【００２０】
本発明の一実施形態によると、二次電池は、電極組立体と、二つの第１及び第２長側壁と二つの第１及び第２短側壁とが互いに接する側壁と、底板とを備えると共に前記電極組立体を収容する缶を含む。本発明の実施形態によると、第１長側壁に隣接した第１短側壁の第１壁部の厚さは第２長側壁に隣接した第１短側壁の第２壁部と非対称的に形成される。
【００２１】
図１は本発明の一実施形態に係る二次電池の分解斜視図であり、図２は図１に示した缶の平面図であり、図３は図１に示した缶の底面図であり、図４は図２に示した缶のＡ‐Ａ線断面図であり、図５は図２に示した缶の水平断面図である。
【００２２】
図１〜図５を参照すると、本発明の一実施形態に係る二次電池１００は、電極組立体１１０、缶１２０、キャップ組立体１３０及び絶縁ケース１４０を備える。
【００２３】
電極組立体１１０は、第１電極板１１１、第２電極板１１２及び二つの電極板１１１、１１２の間に介在されたセパレーター１１３が渦巻（ｊｅｌｌｙ‐ｒｏｌｌ）状に巻回されて形成される。第１電極板１１１には伝導性の第１電極タブ１１４が結合され、電極組立体１１０の上端部から突出する。第２電極板１１２には伝導性の第２電極タブ１１５が結合され、電極組立体１１０の上端部から突出する。本実施形態の説明において、第１電極板１１１は負極活物質が塗布された負極板であり、第２電極板１１２は正極活物質が塗布された正極板である。それによって、第１電極タブ１１４は負極タブとなり、第２電極タブ１１５は正極タブとなる。しかし、本発明はこれに制限されるのではない。これとは異なって、第１電極板１１１が正極板で第２電極板１１２が負極板であり、それによって、第１電極タブ１１４が正極タブで第２電極タブ１１５が負極タブとなってもよい。
【００２４】
本発明の実施形態では、二つの電極タブ１１４、１１５がニッケル金属からなるとするが、本発明はこれに制限されるのではない。
【００２５】
缶１２０は、底板１２１と、底板１２１の縁部から上に延びた側壁１２４とを備える。缶１２０の内部には、開放された側壁１２４の上端部を通して電極組立体１１０が収容される。缶１２０は、アルミニウムのような伝導性金属で深絞り（ｄｅｅｐ  ｄｒａｗｉｎｇ）のような方法によって製造されることができる。
【００２６】
底板１２１は、縦軸方向のＸ軸に沿って長く延びた薄い棒形状を有する。底板１２１の縁部には、Ｘ軸に沿って互いに平行して延びた第１長辺部１２２ａ及び第２長辺部１２２ｂと、二つの長辺部１２２ａ、１２２ｂに比べて相対的に長さが短く且つ二つの長辺部１２２ａ、１２２ｂの端部を連結する二つの短辺部１２３ａ、１２３ｂとが形成される。二つの短辺部１２３ａ、１２３ｂは、中心部が外方へ突出した丸い形状を有する。底板１２１は、０．２ｍｍ〜０．７ｍｍの厚さに形成されることができる。
【００２７】
側壁１２４は、互いに対向する第１、第２長側壁１２５、１２６と、互いに対向し、且つ二つの長側壁１２５、１２６に比べて相対的に狭い幅を有する第１、第２短側壁１２７、１２８とを備える。側壁１２４は、０．１８ｍｍ〜０．４ｍｍの厚さに形成されることが好ましい。側壁１２４が０．１８ｍｍより薄く形成されれば、強度が弱くて組立工程や規格試験で変形されやすいので、電極組立体１１０が損傷されるおそれがある。また、側壁１２４の厚さが０．４ｍｍより厚く形成されれば、これに合わせて電極組立体１１０の大きさを減らす必要があり、結果的に電池容量の低下をもたらすようになる。
【００２８】
第１長側壁１２５は、底板１２１の第１長辺部１２２ａから上に延びており、第２長側壁１２６は、底板１２１の第２長辺部１２２ｂから上に延びている。第１短側壁１２７は、底板１２１の第１短辺部１２３ａから上に延びており、第２短側壁１２８は、底板１２１の第２短辺部１２３ｂから上に延びている。二つの短側壁１２７、１２８は二つの長側壁１２５、１２６と連結される。二つの短側壁１２７、１２８は、中心部が外方へ突出した丸い形状を有する。
【００２９】
第１短側壁１２７は、突出した端部である第１中心部１２７ａを基準に、少なくとも一部が第１長側壁１２５の方に近く形成された第１壁部１２７ｂと、少なくとも一部が第２長側壁１２６の方に近く形成された第２壁部１２７ｃとを備える。第１壁部１２７ｂの少なくとも一部分の内壁面が内側へ突出して形成されることで、第１壁部１２７ｂ及び第２壁部１２７ｃは互いに非対称に形成される。第１壁部１２７ｂの厚さｔ１が第２壁部１２７ｃの厚さｔ２より厚く形成される。第２壁部１２７ｃの厚さｔ２は、第２長側壁１２６の厚さと略同一に形成される。また、第１壁部１２７ｂの突出した部分の角部１２７ｂ１は丸く形成されて、電極組立体１１０の損傷を防止する。第２短側壁１２８は、突出した端部である第２中心部１２８ａを基準に、少なくとも一部が第１長側壁１２５の方に近く形成された第３壁部１２８ｂと、少なくとも一部が第２長側壁１２６の方に近く形成された第４壁部１２８ｃとを備える。第４壁部１２８ｃの少なくとも一部分の内壁面が内側へ突出して形成されることで、その厚さｔ４が第３壁部１２８ｂの厚さｔ３より厚く形成される。第３壁部１２８ｂの厚さｔ３は、第１長側壁１２５の厚さと略同一に形成される。第１壁部１２７ｂが第２壁部１２７ｃより厚く形成されるので、第１壁部１２７ｂが第２壁部１２７ｃに比べて構造的に強化され、第４壁部１２８ｃが第３壁部１２８ｂより厚く形成されるので、第４壁部１２８ｃが第３壁部１２８ｂに比べて構造的に強化される。それによって、縦圧縮力Ｆが加えられた時、第１短側壁１２７には第１壁部１２７ｂよりも第２壁部１２７ｃにより大きな力が加えられ、第２短側壁１２８には第４壁部１２８ｃより第３壁部１２８ｂにより大きな力が加えられる。このような力の不均衡は結果的に、図５に示すように、缶１２０を点線の矢印方向に回転させるようになる。それによって、缶１２０は縦圧縮の状態を回避できることとなり、安全性が向上する。第１壁部１２７ｂと第２壁部１２７ｃとの厚さ差（ｔ１−ｔ２）、及び、第３壁部１２８ｂと第４壁部１２８ｃとの厚さ差（ｔ４−ｔ３）は、少なくとも０．０５ｍｍであることが好ましい。厚さ差（ｔ１−ｔ２またはｔ４−ｔ３）が０．０５ｍｍより小さければ、縦圧縮力Ｆによる第１壁部１２７ｂ及び第２壁部１２７ｃそれぞれに加えられる力の差と、第３壁部１２８ｂ及び第４壁部１２８ｃそれぞれに加えられる力の差とが、缶１２０を回転させることができるのに十分な大きさとならないからである。
【００３０】
下記の表１に缶の実験結果が示されている。缶を垂直に位置させた状態で１３ｋＮの圧力で２秒間圧着してから圧着を解除した。その後、缶の外観を観察した。表１には、側壁の第２壁部の厚さを変化させながら各１０個のサンプルを測定した後、その実験結果を示した。
【表１】
2010232176.tif 000003
【００３１】
表１に示すように、第２壁部と他の壁部との厚さ差が０．０４ｍｍ以下である場合、１０個のサンプルのうち８個は合格であり、２個は不合格であった。しかし、第２壁部と他の壁部との厚さ差が０．５ｍｍ以上である場合、１０個のサンプルが何れも合格であった。よって、表１に示すように、第２壁部と他の壁部との厚さ差が０．０５ｍｍ以上である場合、より大きい合格率が現れることが分かる。
【００３２】
上記の「不合格」は、缶に発生する質的な問題点を示す。すなわち、長軸から圧力を受けると、缶の内部で花火が発生すると同時に温度が２００℃以上に加熱される状態を示す。上記の「合格」は、缶に如何なる質的な問題点も発生せず、又は無視できる程度の問題点が発生した状態を示す。すなわち、長軸方向に圧力が加えられた後、電解液が漏れる程度の変化が発生しても缶の状態に別に影響を及ぼさない状態を意味する。
【００３３】
第１短側壁１２７の第１壁部１２７ｂの上端と、第２短側壁１２８の第４壁部１２８ｃの上端とには、それぞれ第１、第２段差１２７ｅ、１２８ｅが形成される。第１段差１２７ｅ及び第２段差１２８ｅにキャップ組立体１３０が載置されるようになる。
【００３４】
キャップ組立体１３０は、蓋板１３１、ガスケット１３２、電極端子１３３、絶縁板１３４、端子板１３５及び栓１３７を備える。キャップ組立体１３０は、蓋板１３１が缶１２０の側壁１２４の上端に形成された二つの段差１２７ｅ、１２８ｅ上に載置されて、缶１２０の開放された上部に設けられて溶接される。
【００３５】
蓋板１３１は、端子通孔１３１ａと電解液注入孔１３１ｂとを備える。端子通孔１３１ａは、電極端子１３３が挿入される通路を提供する。この時、金属性の蓋板１３１と電極端子１３３とを絶縁させるために、電極端子１３３は、絶縁物質からなるガスケット１３２が側壁に取り付けられた状態で端子通孔１３１ａに挿入される。一方、蓋板１３１の一側には、缶１２０の内部に電解液を注入するための電解液注入孔１３１ｂが形成され、電解液注入孔１３１ｂを通して電解液を注入した後には、電解液注入孔１３１ｂを栓１３７０で密封して電解液の漏出を防止するようになる。
【００３６】
絶縁板１３４は蓋板１３１の下部に形成される。そして、絶縁板１３４の下部には端子板１３５が形成される。よって、絶縁板１３４は、蓋板１３１と端子板１３５とを互いに絶縁させるようになる。端子板１３５は電極端子１３３の下端部と結合される。よって、電極組立体１１０の第１電極板１１１は、第１電極タブ１１４と端子板１３５とを介して電極端子１３３と電気的に接続される。この時、電極組立体１１０の第２電極板１１２は、第２電極タブ１１５を介して蓋板１３１または缶１２０と電気的に接続される。
【００３７】
栓１３７は、蓋板１３１に形成された電解液注入孔１３１ｂを通して電解液を注入した後、電解液注入孔１３１ｂを密閉するために使用される。栓１３７の他にボール（ｂａｌｌ）を圧入して電解液注入孔１３１ｂを密閉することもできる。
【００３８】
絶縁ケース１４０は端子板１３５の下部に形成される。絶縁ケース１４０は、第１電極タブ１１４が引き出される第１電極タブ貫通部１４１と、第２電極タブ１１５が引き出される第２電極タブ貫通部１４２と、電解液流入口１４３とを備える。絶縁ケース１４０は、電極組立体１１０及びキャップ組立体１３０を互いに電気的に絶縁させる。
【００３９】
次に、本発明の他の実施形態に係る二次電池の缶について説明する。
【００４０】
図６は本発明の他の実施形態に係る二次電池の缶の断面図である。
【００４１】
図６を参照すると、缶２２０の側壁２２４は、互いに対向する第１、第２長側壁２２５、２２６と、互いに対向し、且つ二つの長側壁２２５、２２６に比べて相対的に狭い幅を有する第１、第２短側壁２２７、２２８とを備える。二つの短側壁２２７、２２８は二つの長側壁２２５、２２６と連結される。二つの短側壁２２７、２２８は、中心部が外方へ突出した丸い形状を有する。
【００４２】
第１短側壁２２７は、少なくとも一部が第１長側壁２２５の方に近く形成された第１壁部２２７ｂと、少なくとも一部が第２長側壁２２６の方に近く形成された第２壁部２２７ｃとを備える。第１壁部２２７ｂの少なくとも一部分及び第１長側壁２２５は、内壁面が内側へ突出して形成されることで、その厚さが第２壁部２２７ｃの厚さより厚く形成される。第２短側壁２２８は、少なくとも一部が第１長側壁２２５の方に近く形成された第３壁部２２８ｂと、少なくとも一部が第２長側壁２２６の方に近く形成された第４壁部２２８ｃとを備える。第４壁部２２８ｃの少なくとも一部分及び第２長側壁２２６は、内壁面が内側へ突出して形成されることで、その厚さが第３壁部２２８ｂの厚さより厚く形成される。第１長側壁２２５及び第２長側壁２２６が第１壁部２２７ｂ及び第４壁部２２８ｃと共に、第２壁部２２７ｃ及び第３壁部２２８ｂに比べて厚く形成されるので、一側壁が構造的に更に強化されることで、縦圧縮の状態を更に効果的に回避することができる。その以外の構成及び作用は図１〜図５に示された実施形態と同一であるので、これについての詳細な説明は省略する。
【００４３】
次に、本発明の更なる他の実施形態に係る二次電池の缶について説明する。
【００４４】
図７は、その本発明の更なる他の実施形態に係る二次電池の缶の断面図である。
【００４５】
図７を参照すると、缶３２０の側壁３２４は、互いに対向する第１、第２長側壁３２５、３２６と、互いに対向し、且つ二つの長側壁３２５、３２６に比べて相対的に狭い幅を有する第１、第２短側壁３２７、３２８とを備える。二つの短側壁３２７、３２８は二つの長側壁３２５、３２６と連結される。二つの短側壁３２７、３２８は、中心部が外方へ突出した丸い形状を有する。
【００４６】
第１短側壁３２７は、少なくとも一部が第１長側壁３２５の方に近く形成された第１壁部３２７ｂと、少なくとも一部が第２長側壁３２６の方に近く形成された第２壁部３２７ｃとを備える。第１壁部３２７ｂの少なくとも一部分の内壁面が内側へ突出して形成されることで、その厚さが第２壁部３２７ｃより厚く形成される。第１長側壁３２５、第２長側壁３２６及び第２短側壁３２８は、第２壁部３２７ｃと略同一な厚さに形成される。
【００４７】
第１壁部３２７ｂが第２壁部３２７ｃより厚く形成されるので、第１壁部３２７ｂが第２壁部３２７ｃに比べて構造的に強化される。それによって、縦圧縮力Ｆが加えられた時、第１短側壁３２７には、第１壁部３２７ｂより第２壁部３２７ｃにより大きな力が加えられる。このような力の不均衡は結果的に、図７に示すように、缶３２０を点線の矢印方向に回転させるようになる。それによって、缶１２０は縦圧縮の状態を回避できることとなり、安全性が向上する。その以外の構成及び作用は図１〜図５に示された実施形態と同一であるので、これについての詳細な説明は省略する。
【００４８】
次に、本発明の更なる他の実施形態に係る二次電池の缶について説明する。
【００４９】
図８は、その本発明の更なる他の実施形態に係る二次電池の缶の断面図である。
【００５０】
図８を参照すると、缶４２０の側壁４２４は、互いに対向する第１、第２長側壁４２５、４２６と、互いに対向し、且つ二つの長側壁４２５、４２６に比べて相対的に狭い幅を有する第１、第２短側壁４２７、４２８とを備える。二つの短側壁４２７、４２８は二つの長側壁４２５、４２６と連結される。二つの短側壁４２７、４２８は中心部が外方へ突出した丸い形状を有する。
【００５１】
第１短側壁４２７は、少なくとも一部が第１長側壁４２５の方に近く形成された第１壁部４２７ｂと、少なくとも一部が第２長側壁４２６の方に近く形成された第２壁部４２７ｃとを備える。第１壁部４２７ｂ、第１長側壁４２５、第２長側壁４２６及び第２短側壁４２８は、略同一厚さに形成される。第１壁部４２７ｂは第２壁部４２７ｃより厚く形成される。
【００５２】
第１壁部４２７ｂが第２壁部４２７ｃより厚く形成されるので、第１壁部４２７ｂは第２壁部４２７ｃに比べて構造的高い剛性を有することとなる。それによって、縦圧縮力が加えられた時、第１短側壁４２７には、第１壁部４２７ｂより第２壁部４２７ｃにより大きな力が加えられる。このような力の不均衡によって、缶４２０は縦圧縮の状態を回避できることとなり、安全性が向上する。その以外の構成及び作用は図１〜図５に示された実施形態と同一であるので、これについての詳細な説明は省略する。
【００５３】
次に、本発明の更なる他の実施形態に係る二次電池の缶について説明する。
【００５４】
図９は、その本発明の更なる他の実施形態に係る二次電池の缶の断面図である。
【００５５】
図９を参照すると、缶５２０の側壁５２４は、互いに対向する第１、第２長側壁５２５、５２６と、互いに対向し、且つ二つの長側壁５２５、５２６に比べて相対的に狭い幅を有する第１、第２短側壁５２７、５２８とを備える。二つの短側壁５２７、５２８は二つの長側壁５２５、５２６と連結される。二つの短側壁５２７、５２８は、二つの長側壁５２５、５２６と略直角を成して偏平に形成されている。
【００５６】
第１短側壁５２７は、少なくとも一部が第１長側壁５２５の方に近く形成された第１壁部５２７ｂと、少なくとも一部が第２長側壁５２６の方に近く形成された第２壁部５２７ｃとを備える。第１壁部５２７ｂの少なくとも一部分は内壁面が内側へ突出して形成されることで、その厚さが第２壁部５２７ｃより厚く形成される。第２壁部５２７ｃの厚さは第２長側壁５２６の厚さと略同一に形成される。第２短側壁５２８は、少なくとも一部が第１長側壁５２５の方に近く形成された第３壁部５２８ｂと、少なくとも一部が第２長側壁５２６の方に近く形成された第４壁部５２８ｃとを備える。第４壁部５２８ｃの少なくとも一部分は内壁面が内側へ突出して形成されることで、その厚さが第３壁部５２８ｂより厚く形成される。第３壁部５２８ｂの厚さは、第１長側壁５２５の厚さと略同一に形成される。第１壁部５２７ｂが第２壁部５２７ｃより厚く形成されるので、第１壁部５２７ｂが第２壁部５２７ｃに比べて構造的に強化され、第４壁部５２８ｃが第３壁部５２８ｂより厚く形成されるので、第４壁部５２８ｃが第３壁部５２８ｂに比べて構造的に強化される。それによって、縦圧縮力Ｆが加えられた時、第１短側壁５２７では第１壁部５２７ｂより第２壁部５２７ｃに力がもっと加えられ、第２短側壁５２８では第４壁部５２８ｃより第３壁部５２８ｂに力がもっと加えられる。このような力の不均衡によって、缶５２０は縦圧縮の状態を自然に脱するようになって、安全性が向上する。
【００５７】
その以外の構成及び作用は図１〜図５に示された実施形態と同一であるので、これについての詳細な説明は省略する。
【００５８】
以上、本発明を実施形態を例に挙げて説明したが、本発明はそれに制限されるのではない。当業者であれば、本発明の要旨及び範囲を逸脱せず修正及び変更することができ、このような修正及び変更も本発明に属するということが分かるはずであろう。
【符号の説明】
【００５９】
１００…二次電池、１１０…電極組立体、１２０…缶、１２１…底板、１２４…側壁、１２５…第１長側壁、１２６…第２長側壁、１２７…第１短側壁、１２７ｂ…第１壁部、１２７ｃ…第２壁部、１２８…第２短側壁、１２８ｂ…第３壁部、１２８ｃ…第４壁部、１３０…キャップ組立体、１４０…絶縁ケース
【図１】
2010232176.tif 000004
【図２】
2010232176.tif 000005
【図３】
2010232176.tif 000006
【図４】
2010232176.tif 000007
【図５】
2010232176.tif 000008
【図６】
2010232176.tif 000009
【図７】
2010232176.tif 000010
【図８】
2010232176.tif 000011
【図９】
2010232176.tif 000012